(57)【特許請求の範囲】
【請求項１】
タイヤ周方向に沿って延びる周溝と、
前記周溝と交差するように、前記周溝から延びる横溝と、
前記周溝から前記横溝に向けて板状に突出し、タイヤ幅方向の先端部が前記横溝に至る又は前記横溝の内部に位置するまで延びる突出部と、を備え、
前記周溝は、対面するように配置される一対の平面状の周溝側部を備え、
前記突出部は、前記一対の周溝側部のうち一方のみに固定され、
前記周溝は、前記一対の周溝側部の間に配置される周溝底部を備え、
前記突出部は、一方の前記周溝側部と前記周溝底部とに固定され、
前記突出部は、水が前記周溝内を流通する際に、前記周溝を開放するように変形することを促進する変形促進部を備え、
前記変形促進部は、前記突出部のタイヤ幅方向の先端側で且つタイヤ径方向の外側の領域が前記突出部の他の領域よりも薄く形成されて成る空気入りタイヤ。
【請求項２】
タイヤ周方向に沿って延びる周溝と、
前記周溝と交差するように、前記周溝から延びる横溝と、
前記周溝から前記横溝に向けて板状に突出し、タイヤ幅方向の先端部が前記横溝に至る又は前記横溝の内部に位置するまで延びる突出部と、を備え、
前記周溝は、対面するように配置される一対の平面状の周溝側部を備え、
前記突出部は、前記一対の周溝側部のうち一方のみに固定され、
前記周溝は、前記一対の周溝側部の間に配置される周溝底部を備え、
前記突出部は、一方の前記周溝側部と前記周溝底部とに固定され、
前記突出部は、水が前記周溝内を流通する際に、前記周溝を開放するように変形することを促進する変形促進部を備え、
前記変形促進部は、前記突出部がタイヤ径方向の外側に向けて薄く形成されて成る空気入りタイヤ。
【請求項３】
タイヤ周方向に沿って延びる周溝と、
前記周溝と交差するように、前記周溝から延びる横溝と、
前記周溝から前記横溝に向けて板状に突出し、タイヤ幅方向の先端部が前記横溝に至る又は前記横溝の内部に位置するまで延びる突出部と、を備え、
前記周溝は、対面するように配置される一対の平面状の周溝側部を備え、
前記突出部は、前記一対の周溝側部のうち一方のみに固定され、
前記周溝は、前記一対の周溝側部の間に配置される周溝底部を備え、
前記突出部は、一方の前記周溝側部と前記周溝底部とに固定され、
前記突出部は、水が前記周溝内を流通する際に、前記周溝を開放するように変形することを促進する変形促進部を備え、
前記変形促進部は、前記突出部が変形する起点となる凹部を備える空気入りタイヤ。
【請求項４】
前記突出部のタイヤ径方向の外端部は、タイヤ径方向において、接地するトレッド面と離間する請求項１〜３の何れか１項に記載の空気入りタイヤ。
【発明の詳細な説明】
【技術分野】
【０００１】
本発明は、タイヤ周方向に沿って延びる周溝と、周溝と交差するように、周溝から延びる横溝とを備える空気入りタイヤに関する。
【背景技術】
【０００２】
従来、空気入りタイヤとして、タイヤ周方向に沿って延びる周溝と、周溝と交差するように、周溝から延びる横溝とを備える空気入りタイヤが、知られている（例えば、特許文献１〜４）。該空気入りタイヤは、周溝から突出する突出部を備えている。
【０００３】
特許文献１〜３に係る空気入りタイヤにおいては、突出部が周溝のタイヤ幅方向の一部を覆うように配置されているため、地面と周溝とで形成される気柱が共鳴することを抑制している。しかしながら、その騒音性能の向上は、充分ではない。
【０００４】
また、特許文献４に係る空気入りタイヤにおいては、突出部が周溝の一対の周溝側部間に亘って配置されているため、地面と周溝とで形成される気柱が共鳴することを防止できている。しかしながら、突出部が両方の周溝側部に固定されているため、水が周溝内を流通することを阻害する。これにより、排水性能を低下させている。
【先行技術文献】
【特許文献】
【０００５】
【特許文献１】特表２０１３−５２９５７６号公報
【特許文献２】国際公開２００９／０８４６６６号公報
【特許文献３】特開２０１２−１０１６８３号公報
【特許文献４】特開２０１３−２４４８５４号公報
【発明の概要】
【発明が解決しようとする課題】
【０００６】
よって、本発明は、斯かる事情に鑑み、騒音性能を向上させることができ、しかも、排水性能を低下させることを抑制できる空気入りタイヤを提供することを課題とする。
【課題を解決するための手段】
【０００７】
本発明に係る空気入りタイヤは、タイヤ周方向に沿って延びる周溝と、前記周溝と交差するように、前記周溝から延びる横溝と、前記周溝から前記横溝に向けて板状に突出し、タイヤ幅方向の先端部が前記横溝に至る又は前記横溝の内部に位置するまで延びる突出部と、を備え、前記周溝は、対面するように配置される一対の平面状の周溝側部を備え、前記突出部は、前記一対の周溝側部のうち一方のみに固定される。
【０００８】
また、空気入りタイヤにおいては、前記周溝は、前記一対の周溝側部の間に配置される周溝底部を備え、前記突出部は、一方の前記周溝側部と前記周溝底部とに固定される、という構成でもよい。
【０００９】
また、空気入りタイヤにおいては、前記突出部は、水が前記周溝内を流通する際に、前記周溝を開放するように変形することを促進する変形促進部を備える、という構成でもよい。
【００１０】
また、空気入りタイヤにおいては、前記変形促進部は、前記突出部が変形する起点となる凹部を備える、という構成でもよい。
【００１１】
また、空気入りタイヤにおいては、前記突出部のタイヤ径方向の外端部は、タイヤ径方向において、接地するトレッド面と離間する、という構成でもよい。
【発明の効果】
【００１２】
以上の如く、本発明に係る空気入りタイヤは、騒音性能を向上させることができ、しかも、排水性能を低下させることを抑制できるという優れた効果を奏する。
【図面の簡単な説明】
【００１３】
【図１】図１は、一実施形態に係る空気入りタイヤのトレッド面の要部展開図である。
【図２】図２は、図１のII領域拡大図である。
【図３】図３は、図２のIII−III線（タイヤ子午面）における断面図である。
【図４】図４は、同実施形態に係る空気入りタイヤのトレッド面の要部拡大展開図であって、周溝内に水が流通する状態を説明する図である。
【図５】図５は、図４のＶ−Ｖ線（タイヤ子午面）における断面図である。
【図６】図６は、他の実施形態に係る空気入りタイヤのタイヤ子午面における要部拡大断面図である。
【図７】図７は、さらに他の実施形態に係る空気入りタイヤのタイヤ子午面における要部拡大断面図である。
【図８】図８は、さらに他の実施形態に係る空気入りタイヤのトレッド面の要部拡大展開図である。
【図９】図９は、さらに他の実施形態に係る空気入りタイヤのタイヤ子午面における要部拡大断面図である。
【図１０】図１０は、さらに他の実施形態に係る空気入りタイヤのタイヤ子午面における要部拡大断面図である。
【図１１】図１１は、さらに他の実施形態に係る空気入りタイヤのタイヤ子午面における要部拡大断面図である。
【図１２】図１２は、実施例と比較例との評価表である。
【発明を実施するための形態】
【００１４】
以下、空気入りタイヤにおける一実施形態について、図１〜図５を参酌して説明する。なお、各図（図６〜図１１も同様）において、図面の寸法比と実際の寸法比とは、必ずしも一致していない。
【００１５】
本実施形態に係る空気入りタイヤ（以下、単に「タイヤ」ともいう）１は、ビードを有する一対のビード部（図示していない）と、各ビード部からタイヤ径方向の外側に延びるサイドウォール部（図示していない）と、一対のサイドウォール部のタイヤ径方向の外端部に連接され、図１に示すように、地面と接するトレッド面２を構成するトレッド部３とを備えている。該タイヤ１は、リム（図示していない）に装着されている。
【００１６】
図１において、タイヤ周方向は、図１の上下方向であり、タイヤ幅方向は、図１の左右方向であり、タイヤ径方向は、図１の紙面に対して垂直方向である。図１における１点鎖線Ｓ１は、タイヤ回転軸に直交し且つタイヤ幅方向の中心に位置するタイヤ赤道面を示している。また、タイヤ子午面とは、タイヤ回転軸を含む面であり、タイヤ赤道面Ｓ１と直交する面のことである。
【００１７】
トレッド部３は、タイヤ周方向に沿って延びる複数の周溝４を備えており、そして、複数の周溝４で区画される複数の陸部５を備えている。本実施形態においては、周溝４は、四つ備えられており、陸部５は、五つ備えられている。該周溝４は、タイヤ周方向と平行となるように直線状に形成される、所謂、ストレート溝である。なお、周溝４は、ジグザグ状にタイヤ周方向に沿って延びて形成されていてもよい。
【００１８】
また、トレッド部３は、周溝４と交差するように、周溝４から延びる複数の横溝６と、周溝４から横溝６に向けて板状に突出する複数の突出部７とを備えている。該横溝６は、タイヤ幅方向に対して傾斜する方向に延びて形成されている。なお、横溝６は、タイヤ幅方向と平行となるように延びて形成されていてもよい。
【００１９】
突出部７は、各周溝４にそれぞれ備えられている。そして、突出部７は、各周溝４のタイヤ周方向において所定間隔を有して並列されている。具体的には、突出部７は、接地面において各周溝４に少なくとも１つ有するように、タイヤ周方向に並列されている。なお、接地面とは、タイヤを正規リムにリム組みし、正規内圧を充填した状態でタイヤを平坦な路面に垂直に置き、正規荷重を加えたときの路面に接地するトレッド面２のことである。
【００２０】
正規リムは、タイヤが基づいている規格を含む規格体系において、当該規格がタイヤ毎に定めるリムであり、例えばＪＡＴＭＡであれば標準リム、ＴＲＡであれば「Ｄｅｓｉｇｎ  Ｒｉｍ」、ＥＴＲＴＯであれば「Ｍｅａｓｕｒｉｎｇ  Ｒｉｍ」となる。
【００２１】
正規内圧は、タイヤが基づいている規格を含む規格体系において、各規格がタイヤ毎に定めている空気圧であり、ＪＡＴＭＡであれば最高空気圧、ＴＲＡであれば表「ＴＩＲＥ  ＬＯＡＤ  ＬＩＭＩＴＳ  ＡＴ  ＶＡＲＩＯＵＳ  ＣＯＬＤ  ＩＮＦＬＡＴＩＯＮ  ＰＲＥＳＳＵＲＥＳ」に記載の最大値、ＥＴＲＴＯであれば「ＩＮＦＬＡＴＩＯＮＰＲＥＳＳＵＲＥ」であるが、タイヤが乗用車用である場合には１８０ＫＰａとする。
【００２２】
正規荷重は、タイヤが基づいている規格を含む規格体系において、各規格がタイヤ毎に定めている荷重であり、ＪＡＴＭＡであれば最大負荷能力、ＴＲＡであれば上記の表に記載の最大値、ＥＴＲＴＯであれば「ＬＯＡＤ  ＣＡＰＡＣＩＴＹ」であるが、タイヤが乗用車用である場合には内圧１８０ＫＰａの対応荷重の８５％とする。
【００２３】
図２及び図３に示すように、周溝４は、対面するように配置される一対の平面状の周溝側部４ａ，４ｂと、一対の周溝側部４ａ，４ｂの間に配置される周溝底部４ｃとを備えている。各周溝側部４ａ，４ｂは、トレッド面２からタイヤ径方向の内方に向けて平面状に形成されている。また、周溝底部４ｃのうち、周溝側部４ａ，４ｂと連接する部分は、曲面状に形成されている。
【００２４】
横溝６は、対面するように配置される一対の平面状の横溝側部６ａ，６ｂと、一対の横溝側部６ａ，６ｂの間に配置される横溝底部６ｃとを備えている。本実施形態においては、横溝６のタイヤ径方向の寸法（深さ寸法）は、周溝４のタイヤ径方向の寸法（深さ寸法）と同じである。
【００２５】
突出部７は、一方の周溝側部４ａからタイヤ幅方向に対して平行となるように延びて形成されている。周溝４のタイヤ幅方向の寸法が、タイヤ径方向の内側に向けて小さくなっているため、それに対応して、突出部７のタイヤ幅方向の寸法は、タイヤ径方向の内側に向けて小さくなっている。
【００２６】
突出部７のタイヤ幅方向の先端部７ａは、横溝６の内部に位置している。具体的には、突出部７のタイヤ幅方向の先端部７ａは、タイヤ周方向において、横溝６（横溝側部６ａ，６ｂ）と重なっている。これにより、突出部７は、周溝４ａのタイヤ幅方向全体を覆っている。
【００２７】
突出部７は、一対の周溝側部４ａ，４ｂのうち一方の周溝側部４ａのみに固定されている。具体的には、突出部７のタイヤ幅方向の基端部７ｂは、一方の周溝側部４ａに固定されており、突出部７のタイヤ幅方向の先端部７ａは、突出部７が弾性変形することにより、周溝４に対して変位できる。
【００２８】
突出部７は、周溝底部４ｃにも固定されている。具体的には、突出部７のタイヤ径方向の内端部７ｃは、周溝底部４ｃと横溝底部６ｃとに固定されている。そして、突出部７のタイヤ径方向の外端部７ｄは、タイヤ径方向において、トレッド面２と離間している。これにより、突出部７のタイヤ径方向の外端部７ｄは、突出部７が弾性変形することにより、周溝４に対して変位できる。
【００２９】
突出部７のタイヤ径方向の寸法は、周溝４のタイヤ径方向の寸法の５０％〜１００％であることが好ましく、また、６０％〜９０％であることが好ましい。斯かる寸法に設定すれば、騒音性能を確実に向上させることができる。
【００３０】
また、突出部７のタイヤ幅方向の寸法は、周溝４のタイヤ幅方向の寸法の１００％〜１４０％であることが好ましく、また、１００％〜１２０％であることがより好ましい。斯かる寸法に設定すれば、騒音性能を確実に向上させることができる。
【００３１】
本実施形態に係る空気入りタイヤ１の構成については以上の通りであり、次に、本実施形態に係る空気入りタイヤ１の作用について、図２〜図５を参酌して説明する。
【００３２】
図２及び図３に示すように、突出部７は、周溝４のタイヤ幅方向全体を覆うように配置されている。これにより、突出部７は、地面と周溝４とで形成される気柱が共鳴することを抑制できる。
【００３３】
また、図４及び図５に示すように、水が周溝４内を流通する際に、突出部７は、水の力で変形する。具体的には、突出部７は、タイヤ幅方向の先端側で且つタイヤ径方向の外端側の領域が倒れ込むようにして、変形する。これにより、水が周溝４内を流通することができ、周溝４内から水を排出することができる。なお、図４の二点鎖線矢印は、水の流れを示している。
【００３４】
なお、本実施形態に係る突出部７の厚みは、全体的に一定である。そして、突出部７の厚み寸法は、水の流通時に突出部７が弾性変形するように、０．５ｍｍ〜３ｍｍであることが好ましく、また、１ｍｍ〜１．５ｍｍであることがより好ましい。
【００３５】
斯かる寸法に設定すれば、騒音性能を確実に向上させることができると共に、排水性能を低下させることを確実に抑制できる。なお、突出部７が変形しない場合でも、周溝４内の水が、横溝６を経由して、周溝４内を流通できため、周溝４内から水を排出することができる。
【００３６】
以上より、本実施形態に係る空気入りタイヤ１は、タイヤ周方向に沿って延びる周溝４と、前記周溝４と交差するように、前記周溝４から延びる横溝６と、前記周溝４から前記横溝６に向けて板状に突出し、タイヤ幅方向の先端部７ａが前記横溝６に至る又は前記横溝６の内部に位置する（具体的には、横溝６の内部に位置する）まで延びる突出部７と、を備え、前記周溝４は、対面するように配置される一対の平面状の周溝側部４ａ，４ｂを備え、前記突出部７は、前記一対の周溝側部４ａ，４ｂのうち一方４ａのみに固定される。
【００３７】
斯かる構成によれば、突出部７は、周溝４から横溝６に向けて板状に突出している。そして、突出部７のタイヤ幅方向の先端部７ａは、横溝６に至る、又は、横溝６の内部に位置する（具体的には、横溝６の内部に位置する）まで延びているため、突出部７は、周溝４のタイヤ幅方向全体を覆うように配置されている。したがって、地面と周溝４とで形成される気柱が共鳴することを抑制できるため、騒音性能を向上させることができる。
【００３８】
また、突出部７は、対面するように配置される一対の周溝側部４ａ，４ｂのうち、一方４ａのみに固定されている。これにより、周溝４内の水は、例えば、突出部７が変形したり、横溝６を経由したりすることで、周溝４の一方側から他方側へ流通することができる。したがって、周溝４内の水の流通が完全に阻害されることを防止できるため、排水性能を低下させることを抑制できる。
【００３９】
また、本実施形態に係る空気入りタイヤ１においては、前記周溝４は、前記一対の周溝側部４ａ，４ｂの間に配置される周溝底部４ｃを備え、前記突出部７は、一方の前記周溝側部４ａと前記周溝底部４ｃとに固定される、という構成である。
【００４０】
斯かる構成によれば、突出部７は、一方の周溝側部４ａと周溝底部４ｃとに固定されているため、周溝４に対して強固に固定されている。これにより、突出部７が周溝４内の空気の流通を確実に防止するため、地面と周溝４とで形成される気柱が共鳴することを確実に抑制できる。したがって、騒音性能を確実に向上させることができる。
【００４１】
また、斯かる構成によれば、突出部７と周溝底部４ｃとが連接されている。これにより、例えば、当該空気入りタイヤ１を製造するためのタイヤモールドは、突出部７と周溝底部４ｃとが離間しているタイヤを製造するためのタイヤモールドと比較して、その構造を簡素化できる。
【００４２】
また、本実施形態に係る空気入りタイヤ１においては、前記突出部７のタイヤ径方向の外端部７ｄは、タイヤ径方向において、接地するトレッド面２と離間する、という構成である。
【００４３】
斯かる構成によれば、突出部７のタイヤ径方向の外端部７ｄが、タイヤ径方向においてトレッド面２と離間しているため、タイヤ接地時に、突出部７が地面と接することを抑制できる。したがって、例えば、水が周溝４内を流通する際に、突出部７を確実に変形させることができる。また、例えば、突出部７が地面に接して損傷することを抑制できる。さらに、例えば、水は、地面と突出部７との間を流通することで、周溝４内を流通することもできる。
【００４４】
なお、空気入りタイヤは、上記した実施形態の構成に限定されるものではなく、また、上記した作用効果に限定されるものではない。また、空気入りタイヤは、本発明の要旨を逸脱しない範囲内において種々変更を加え得ることは勿論である。例えば、下記する各種の変更例に係る構成や方法等を任意に選択して、上記した実施形態に係る構成や方法等に採用してもよいことは勿論である。
【００４５】
空気入りタイヤにおいては、図６及び図７に示すように、突出部７は、水が周溝４内を流通する際に、周溝４を開放するように変形することを促進する変形促進部８を備える、という構成でもよい。斯かる構成によれば、変形促進部８は、水が周溝４内を流通する際に、突出部７が周溝４を開放するように変形することを促進する。これにより、周溝４内の空気の流通を確実に防止することができる一方、周溝４内の水の流通を促進することができる。
【００４６】
また、例えば、図６及び図７に示すように、変形促進部８は、突出部７が変形する起点となる凹部８ａを備える、という構成でもよい。斯かる構成によれば、変形促進部８が凹部８ａを備えているため、突出部７が凹部８ａを起点として変形する。これにより、水が周溝４内を流通する際に、突出部７が周溝４を開放するように変形することを促進することができる。
【００４７】
図６に係る凹部８ａは、突出部７が周溝４に固定されている領域のうち、タイヤ径方向の外側端（図６の上側端）で且つタイヤ幅方向の基端（図６の左側端）から、タイヤ径方向の内側端（図６の下側端）で且つタイヤ幅方向の先端（図６の右側端）に向けて、延びている。また、図７に係る複数の凹部８ａは、突出部７のタイヤ幅方向の先端側で且つタイヤ径方向の外側の領域（図７における破線よりも上方側で且つ右側の領域）に配置されると共に、タイヤ径方向に沿って延びている。
【００４８】
また、例えば、変形促進部は、突出部７のタイヤ幅方向の先端側で且つタイヤ径方向の外側の領域が突出部７の他の領域よりも薄く形成されて成る、という構成でもよい。また、例えば、変形促進部は、突出部７がタイヤ径方向の外側に向けて薄く形成されて成る、という構成でもよい。
【００４９】
また、空気入りタイヤは、上記実施形態に係る突出部７を備えることを前提として、上記特許文献１〜４に係る突出部を備えている、という構成でもよい。具体的には、空気入りタイヤは、上記実施形態に係る突出部７を備えることを前提として、周溝４のタイヤ幅方向の一部を覆うように配置される突出部や、周溝４の一対の周溝側部４ａ，４ｂに固定されている突出部を備えている、という構成でもよい。
【００５０】
また、上記実施形態に係る空気入りタイヤ１においては、突出部７は、タイヤ幅方向に対して平行となるように延びて形成されている、という構成である。しかしながら、空気入りタイヤは、斯かる構成に限られない。例えば、空気入りタイヤにおいては、図８に示すように、突出部７は、タイヤ幅方向に対して傾斜して交差する方向に延びて形成されている、という構成でもよい。
【００５１】
斯かる構成によれば、水が周溝４内を流通する際に、突出部７が傾斜している側に倒れ込むように変形することで、周溝４を開放することができる。これにより、周溝４内の空気の流通を確実に防止することができる一方、周溝４内の水の流通を促進することができる。
【００５２】
図８に係る突出部７は、横溝６がタイヤ幅方向に対して傾斜するように配置されることに対応して、タイヤ幅方向に対して傾斜するように配置されている。具体的には、横溝６は、周溝４の他方の周溝側部４ｂに近づくにつれて、タイヤ周方向の一方側（図８の上側）に向かうように、タイヤ幅方向に対して傾斜して配置されているのに対して、突出部７は、周溝４の一方の周溝側部４ａから他方の周溝側部４ｂにいく（タイヤ幅方向の基端部７ｂから先端部７ａにいく）につれて、タイヤ周方向の一方側（図８の上側）に向かうように、タイヤ幅方向に対して傾斜して配置されている。
【００５３】
斯かる構成によれば、横溝６内を流通する水が周溝４内に進入する際に、突出部７が当該水により変形することを促進できる。これにより、横溝６内から周溝４内に進入した水が、周溝４内で流通することを促進することができる。
【００５４】
ところで、周溝４内の水は、一般的に、踏み込み側から蹴り出し側（タイヤ回転方向の前方側から後方側）に流通する。したがって、図８に係る構成においては、突出部７は、タイヤ幅方向の基端部７ｂから先端部７ａにいくにつれて、踏み込み側から蹴り出し側（タイヤ回転方向の前方側から後方側）に向かうように、タイヤ幅方向に対して傾斜して配置されている、という構成でもよい。なお、図８における二点鎖線矢印は、踏み込み側から蹴り出し側に流れる水の流れを示している。
【００５５】
なお、斯かる構成の空気入りタイヤは、車両への装着向きを指定されたタイヤとなり、リムに装着する際に、タイヤの左右何れを車両に対面するかを指定したものとなる。そして、車両への装着の向きは、サイドウォール部に表示されている。例えば、車両装着時に内側に配置される一方のサイドウォール部は、車両内側となる旨の表示（例えば、「ＩＮＳＩＤＥ」等）を付されており、また、車両装着時に外側に配置される他方のサイドウォール部は、車両外側となる旨の表示（例えば、「ＯＵＴＳＩＤＥ」等）を付されている。
【００５６】
また、上記実施形態に係る空気入りタイヤ１においては、横溝６のタイヤ径方向の寸法（深さ寸法）は、周溝４のタイヤ径方向の寸法（深さ寸法）と同じである、という構成である。しかしながら、空気入りタイヤは、斯かる構成に限られない。例えば、空気入りタイヤにおいては、図９に示すように、横溝６のタイヤ径方向の寸法は、周溝４のタイヤ径方向の寸法と異なる、という構成でもよい。
【００５７】
具体的には、図９に係る横溝６のタイヤ径方向の寸法は、周溝４のタイヤ径方向の寸法よりも小さくなっている。そして、図９に係る突出部７は、横溝６のタイヤ径方向の寸法に対応して、段差状に形成されている。そして、突出部７のタイヤ幅方向の先端部７ａは、横溝６の内部に位置している。
【００５８】
また、上記実施形態に係る空気入りタイヤ１においては、突出部７は、タイヤ幅方向の先端部７ａが横溝６の内部に位置するように、延びている、という構成である。しかしながら、空気入りタイヤは、斯かる構成に限られない。例えば、空気入りタイヤにおいては、突出部７は、タイヤ幅方向の先端部７ａが横溝６に至るように、延びているという構成でもよい。
【００５９】
また、上記実施形態に係る空気入りタイヤ１においては、突出部７は、一方の周溝側部４ａと周溝底部４ｃとに固定される、という構成である。しかしながら、空気入りタイヤは、斯かる構成に限られない。例えば、空気入りタイヤにおいては、突出部７は、図１０に示すように、周溝４に対して、周溝底部４ｃに固定されず、一方の周溝側部４ａのみに固定される、という構成でもよい。斯かる構成によれば、突出部７は、周溝底部４ｃに固定されている構成と比較して、弾性変形し易い。
【００６０】
図１０に係る突出部７のタイヤ径方向の内端部７ｃは、タイヤ径方向において、周溝底部４ｃと離間している、という構成である。なお、突出部７は、タイヤ径方向の内端部７ｃが周溝底部４ｃと接している一方、周溝底部４ｃに固定されていない、という構成でもよい。
【００６１】
また、上記実施形態に係る空気入りタイヤ１においては、突出部７のタイヤ径方向の外端部７ｄは、タイヤ径方向において、トレッド面２と離間する、という構成である。しかしながら、空気入りタイヤは、斯かる構成に限られない。例えば、空気入りタイヤにおいては、突出部７のタイヤ径方向の外端部７ｄは、トレッド面２を構成する、という構成でもよい。
【００６２】
また、上記実施形態に係る空気入りタイヤ１においては、突出部７は、一つの突出片からなる、という構成である。しかしながら、空気入りタイヤは、斯かる構成に限られない。例えば、空気入りタイヤにおいては、図１１に示すように、突出部７は、周溝４から横溝６に向けて板状に突出する複数（図１１においては四つ）の突出片９を備える、という構成でもよい。
【００６３】
該複数の突出片９は、それぞれのタイヤ幅方向の先端部が横溝６に至る又は横溝６の内部に位置するまで延びており、それぞれタイヤ径方向（周溝４の深さ方向）に沿って並列されている。斯かる構成によれば、タイヤが摩耗のするに伴って、タイヤ径方向の外側に配置されている突出片９から順に、周溝４から除去されていく。これにより、タイヤが摩耗した際に、突出部７の全体が、周溝４から一度に除去されることを防止できる。
【００６４】
本発明の構成と効果を具体的に示すため、空気入りタイヤの実施例とその比較例とについて、図１２を参酌して、以下に説明する。
【００６５】
＜騒音性能＞
各タイヤを車両に装着し、二名乗車で、ノイズ測定用コースを時刻６０ｋｍで走行し、運転席窓より耳元の音圧を測定した。そして、当該音圧を周波数分析し、高周波帯（７００〜１２００Ｈｚ）の騒音の最大レベルを算出して、騒音性能を評価した。比較例１の結果を１００とする指数で評価し、指数が小さいほど、騒音性能が優れていることを示す。
【００６６】
＜実施例１及び２＞
実施例１は、図１〜図５に係る上記実施形態に係るタイヤであって、周溝４のタイヤ幅方向の寸法に対する突出部７のタイヤ幅方向の寸法が１００％であるタイヤである。即ち、実施例１は、突出部７のタイヤ幅方向の先端部７ａが横溝６に至るまで延びているタイヤである。
実施例２は、図１〜図５に係る上記実施形態に係るタイヤであって、周溝４のタイヤ幅方向の寸法に対する突出部７のタイヤ幅方向の寸法が１１０％であるタイヤである。即ち、実施例２は、突出部７のタイヤ幅方向の先端部７ａが横溝６の内部に位置するまで延びているタイヤである。
【００６７】
＜比較例１〜３＞
比較例１は、実施例１に係るタイヤに対して、突出部７が備えられていない、という構成に変更したタイヤである。
比較例２は、実施例１に係るタイヤに対して、周溝４のタイヤ幅方向の寸法に対する突出部７のタイヤ幅方向の寸法が５０％である、という構成に変更したタイヤである。
比較例３は、実施例１に係るタイヤに対して、周溝４のタイヤ幅方向の寸法に対する突出部７のタイヤ幅方向の寸法が８０％である、という構成に変更したタイヤである。
【００６８】
＜評価結果＞
実施例１及び２は、比較例１〜３に対して、騒音性能を向上させることができている。このように、突出部７のタイヤ幅方向の先端部７ａが、横溝６に至る又は横溝６の内部に位置するまで延びることにより、騒音性能を向上させることができる。
【符号の説明】
【００６９】
１…空気入りタイヤ、２…トレッド面、３…トレッド部、４…周溝、４ａ，４ｂ…周溝側部、４ｃ…周溝底部、５…陸部、６…横溝、６ａ，６ｂ…横溝側部、６ｃ…横溝底部、７…突出部、７ａ…タイヤ幅方向の先端部、７ｂ…タイヤ幅方向の基端部、７ｃ…タイヤ径方向の内端部、７ｄ…タイヤ径方向の外端部、８…変形促進部、８ａ…凹部、９…突出片、Ｓ１…タイヤ赤道面
【図１】
0006460771.tif 000002
【図２】
0006460771.tif 000003
【図３】
0006460771.tif 000004
【図４】
0006460771.tif 000005
【図５】
0006460771.tif 000006
【図６】
0006460771.tif 000007
【図７】
0006460771.tif 000008
【図８】
0006460771.tif 000009
【図９】
0006460771.tif 000010
【図１０】
0006460771.tif 000011
【図１１】
0006460771.tif 000012
【図１２】
0006460771.tif 000013